(57)【要約】【課題】階間調整装置のロープ伸び量の診断にかかる手数を大幅に低減することができ、着床精度の悪化の未然防止に資することができるダブルデッキエレベータの診断装置を提供する。【解決手段】ダブルデッキエレベータの診断装置において、昇降路内に昇降自在に配設された外かごと、外かごの内側にロープによって吊持され、上下に並んだ状態で上下移動可能に配設された上下の乗りかごと、外かごに設けられ、ロープが巻き掛けられた駆動シーブを有し、上下の乗りかごの両者の上下移動を駆動する駆動装置と、前記両者のうち予め定めた一方の乗りかごを外かごに対して所定の位置へと移動させた状態で、外かごを昇降路の所定の位置まで走行させ、外かごが昇降路の所定の位置にきた時点における前記両者のうちの他方の乗りかごの所定の階床位置からの移動距離に基づいて、ロープの伸びを診断する制御手段と、を備える。【選択図】図１
2012162361.tif 000002
【特許請求の範囲】
【請求項１】
昇降路内に昇降自在に配設された枠体である外かごと、
前記外かごの内側にロープによって吊持され、上下移動可能に配設された上乗りかごと、
前記外かごの内側の前記上乗りかごの下方に前記ロープによって吊持され、上下移動可能に配設された下乗りかごと、
前記外かごに設けられ、前記ロープが巻き掛けられた駆動シーブを有し、前記上乗りかご及び前記下乗りかごの両者の上下移動を駆動する駆動装置と、
前記両者のうち予め定めた一方の乗りかごを前記外かごに対して所定の位置へと移動させた状態で、前記外かごを前記昇降路の所定の位置まで走行させ、前記外かごが前記昇降路の所定の位置にきた時点における前記両者のうちの他方の乗りかごの所定の階床位置からの移動距離に基づいて、前記ロープの伸びを診断する制御手段と、を備えたことを特徴とするダブルデッキエレベータの診断装置。
【請求項２】
所定の基準値を記憶する第１の記憶手段を備え、
前記制御手段は、前記第１の記憶手段が記憶する前記基準値と、前記他方の乗りかごの所定の階床位置からの前記移動距離と、を比較することにより、前記ロープの伸びを診断することを特徴とする請求項１に記載のダブルデッキエレベータの診断装置。
【請求項３】
前記第１の記憶手段が記憶する前記基準値は、前回の診断時における前記他方の乗りかごの所定の階床位置からの前記移動距離であることを特徴とする請求項２に記載のダブルデッキエレベータの診断装置。
【請求項４】
前記診断による前記ロープの伸びの量を記憶する第２の記憶手段を備え、
前記制御手段は、前記駆動装置を駆動させて前記両者を上下移動させることにより前記両者の間隔を調整する際に、前記第２の記憶手段が記憶する前記ロープの伸びの量に基づいて、前記駆動装置の駆動量を補正することを特徴とする請求項１から請求項３のいずれかに記載のダブルデッキエレベータの診断装置。
【請求項５】
前記外かごの走行速度を検出する速度検出手段と、
前記上乗りかご及び前記下乗りかごが、前記所定の階床位置にあることを検出する階床位置検出手段と、を備え、
前記制御手段は、前記診断時において、前記速度検出手段の検出結果と前記階床位置検出手段の検出結果とに基づいて、前記他方の乗りかごの所定の階床位置からの移動距離を算出することを特徴とする請求項１から請求項４のいずれかに記載のダブルデッキエレベータの診断装置。
【発明の詳細な説明】
【技術分野】
【０００１】
この発明は、ダブルデッキエレベータの診断装置に関するものである。
【背景技術】
【０００２】
昇降路内に昇降自在に配置された外かご内に上下２つの乗りかごを備えたダブルデッキエレベータにおいては、上乗りかご及び下乗りかごを外かご内にロープでもって吊設し、このロープをかご位置調整用駆動装置によって駆動することにより、外かご内で上乗りかご及び下乗りかごを移動させてこれら上乗りかご及び下乗りかごの間隔を調整するロープ式階間調整装置を備えたものが従来知られている（例えば、特許文献１〜３参照）。
【先行技術文献】
【特許文献】
【０００３】
【特許文献１】国際公開第２００２／０３８４８２号
【特許文献２】日本特開２００７−３３１８７１号公報
【特許文献３】日本特開２０１０−１２６２８２号公報
【発明の概要】
【発明が解決しようとする課題】
【０００４】
ところで、このようなロープ式階間調整装置を備えた従来のダブルデッキエレベータにおいては、外かご内に上下の乗りかごを吊持する階間調整装置のロープに伸びが発生した場合に、上下の乗りかごの互いの位置にずれが生じて着床ずれ等が発してしまう恐れがある。そこで、例えば、特許文献３に記載されたものでは、外かご内に上下の乗りかごを吊持するロープにおいて、プーリ等に接する範囲にワイヤロープを設けるとともにプーリ等に接しない範囲に荷重による伸びの影響が少ない補助索状体を設けることによって、ロープ伸びを低減しようとしている。
【０００５】
しかしながら、以上の特許文献１〜３に示された従来におけるダブルデッキエレベータのいずれにおいても、階間調整装置のロープ伸びを完全に防止することはできない。従って、ロープ伸び量の診断やこの診断結果に基づく調整等を、保守員等の人の手によって行う必要がある。そして、このため、このロープ伸び量の診断及び調整作業に煩雑な手数がかかってしまうという課題がある。特に、ロープ伸びによる着床精度の悪化を未然に防止するためには、ロープ伸び量の診断作業を高頻度で実施する必要があり非常に手数がかかるものとなってしまう。
【０００６】
この発明は、このような課題を解決するためになされたもので、階間調整装置のロープ伸び量の診断にかかる手数を大幅に低減することができ、高頻度のロープ伸び量の診断実施を可能とし着床精度の悪化の未然防止に資することができるダブルデッキエレベータの診断装置を得るものである。
【課題を解決するための手段】
【０００７】
この発明に係るダブルデッキエレベータの診断装置においては、昇降路内に昇降自在に配設された枠体である外かごと、前記外かごの内側にロープによって吊持され、上下移動可能に配設された上乗りかごと、前記外かごの内側の前記上乗りかごの下方に前記ロープによって吊持され、上下移動可能に配設された下乗りかごと、前記外かごに設けられ、前記ロープが巻き掛けられた駆動シーブを有し、前記上乗りかご及び前記下乗りかごの両者の上下移動を駆動する駆動装置と、前記両者のうち予め定めた一方の乗りかごを前記外かごに対して所定の位置へと移動させた状態で、前記外かごを前記昇降路の所定の位置まで走行させ、前記外かごが前記昇降路の所定の位置にきた時点における前記両者のうちの他方の乗りかごの所定の階床位置からの移動距離に基づいて、前記ロープの伸びを診断する制御手段と、を備えた構成とする。
【発明の効果】
【０００８】
この発明に係るダブルデッキエレベータの診断装置においては、階間調整装置のロープ伸び量の診断にかかる手数を大幅に低減することができ、高頻度のロープ伸び量の診断実施を可能とし着床精度の悪化の未然防止に資することができるという効果を奏する。
【図面の簡単な説明】
【０００９】
【図１】この発明の実施の形態１に係るダブルデッキエレベータの診断装置の全体構成を模式的に説明する図である。
【図２】この発明の実施の形態１に係るダブルデッキエレベータの診断装置のモード遷移図である。
【図３】この発明の実施の形態１に係るダブルデッキエレベータの診断装置の診断モードにおける動作を示す図である。
【図４】この発明の実施の形態１に係るダブルデッキエレベータの診断装置の正常終了モードにおける動作を示す図である。
【図５】この発明の実施の形態１に係るダブルデッキエレベータの診断装置の中断モードにおける動作を示す図である。
【図６】この発明の実施の形態１に係るダブルデッキエレベータの診断装置によるロープ伸び量の算出方法を説明する図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図６は、この発明の実施の形態１に係るもので、図１はダブルデッキエレベータの診断装置の全体構成を模式的に説明する図、図２は診断装置のモード遷移図、図３は診断装置の診断モードにおける動作を示す図、図４は診断装置の正常終了モードにおける動作を示す図、図５は診断装置の中断モードにおける動作を示す図、図６は診断装置によるロープ伸び量の診断方法を説明する図である。
【００１２】
図１において、１は、エレベータの昇降路２内に昇降自在に配置された枠体である外かごである。また、昇降路２内には、この外かご１にかかる荷重を補償するための釣合い重り３も昇降自在に配置されている。昇降路２の頂部の図示しない機械室内には、外かご１及び釣合い重り３の昇降を駆動するための主巻上機５が設置されている。そして、外かご１の上部には主ロープ４の一端が連結されている。この主ロープ４は、外かご１の上部から昇降路２内を鉛直上方へと伸びて、その中間が主巻上機５の駆動シーブに巻き掛けられている。主ロープ４の他端側は、主巻上機５の駆動シーブから昇降路２内へと鉛直下方に伸びて、釣合い重り３の上部に連結されている。こうして、外かご１及び釣合い重り３は、主ロープ４により昇降路２内につるべ状に吊持されている。
【００１３】
外かご１の内側には、乗客や荷物等を積載する上乗りかご６及び下乗りかご７の２つの乗りかごが上下に並んだ状態で上下動可能に配設されている。外かご１の上部には、これら上乗りかご６及び下乗りかご７の外かご１内における上下移動を駆動するための副巻上機９が設置されている。外かご１の上部には、副ロープ８の一端が固定されている。そして、この副ロープ８の一端側が上乗りかご６の上部に回動自在に設けられたプーリに巻き掛けられた上で、副ロープ８の中間部は副巻上機９の駆動シーブに巻き掛けられている。また、この副ロープ８の、副巻上機９の駆動シーブに巻き掛けられた位置から見て他端側は、下乗りかご７の下部に回動自在に設けられたプーリに巻き掛けられており、副ロープ８の他端も一端と同じく外かご１の上部に固定されている。
【００１４】
こうして、外かご１の内側には、上乗りかご６及び下乗りかご７が上下に並んだ状態で上下動可能に、副ロープ８によって吊持されている。そして、副巻上機９を所定の一方向へと回転させると、上乗りかご６は外かご１内を上方へと、下乗りかご７は外かご１内を下方へとそれぞれ移動させて、上乗りかご６と下乗りかご７との間隔を拡大させることができる。また、逆に、前記一方向とは逆方向に副巻上機９を回転させることにより、上乗りかご６は外かご１内を下方へと、下乗りかご７は外かご１内を上方へとそれぞれ移動させて、上乗りかご６と下乗りかご７との間隔を縮小させることができる。
【００１５】
このようにして、上乗りかご６及び下乗りかご７を吊持する副ロープ８と副巻上機９とによって、上乗りかご６及び下乗りかご７が停止する上下に隣接する階床間の距離に合わせて、上乗りかご６及び下乗りかご７の間隔を調整する階間調整装置が構成されている。
【００１６】
主巻上機５を回転動作させることによる外かご１の昇降等を含む、当該ダブルデッキエレベータの運転動作一般は、例えば機械室内に設置された主制御装置１０によって制御されている。また、副巻上機９を回転動作させることによる外かご１内における上乗りかご６及び下乗りかご７の上下移動は、外かご１の上部に設置された副制御装置１１によって制御されている。この副制御装置１１は、主に主制御装置１０からの指令に従って、外かご１内における上乗りかご６及び下乗りかご７の上下移動を、副巻上機９によって駆動する。
【００１７】
主巻上機５の駆動シーブ部分には、この駆動シーブの回転速度を検出することにより外かご１（上乗りかご６及び下乗りかご７）の移動検度を検出する速度検出器１２が設けられている。この速度検出器１２による速度検出信号は、主制御装置１０へと出力される。
【００１８】
昇降路２内の上端付近及び上乗りかご６には、外かご１が昇降路２内の上端から所定の距離の位置に達したことを検出するための昇降路内上部終端検出装置１３が設けられている。この昇降路内上部終端検出装置１３は、対となるスイッチ部及びカム部からなり、昇降路２内壁及び上乗りかご６側面のうちの、一方にスイッチ部が、他方にカム部が、それぞれ設置されている。そして、昇降路内上部終端検出装置１３は、カム部がスイッチ部に当接することによって外かご１が昇降路２の上端から所定の距離の位置に達したことを検出して、検出信号を主制御装置１０へと出力する。
【００１９】
また、昇降路２内の下端付近及び下乗りかご７には、外かご１が昇降路２内の下端から所定の距離の位置に達したことを検出するための昇降路内下部終端検出装置１４が設けられている。この昇降路内下部終端検出装置１４は、対となるスイッチ部及びカム部からなり、昇降路２内壁及び下乗りかご７側面のうちの、一方にスイッチ部が、他方にカム部が、それぞれ設置されている。そして、昇降路内下部終端検出装置１４は、カム部がスイッチ部に当接することによって外かご１が昇降路２の下端から所定の距離の位置に達したことを検出して、検出信号を主制御装置１０へと出力する。
【００２０】
外かご１内の上端付近及び上乗りかご６には、上乗りかご６が外かご１内の上端位置に達したことを検出するための外かご内上部終端検出装置１５が設けられている。この外かご内上部終端検出装置１５は、対となるスイッチ部及びカム部からなり、外かご１内側及び上乗りかご６側面のうちの一方にスイッチ部が、他方にカム部が、それぞれ設置されている。そして、外かご内上部終端検出装置１５は、カム部がスイッチ部に当接することによって上乗りかご６が外かご１内の上端位置に達したことを検出して、検出信号を副制御装置１１へと出力する。
【００２１】
また、外かご１内の上端付近及び下乗りかご７には、下乗りかご７が外かご１内の下端位置に達したことを検出するための外かご内下部終端検出装置１６が設けられている。この外かご内下部終端検出装置１６は、対となるスイッチ部及びカム部からなり、外かご１内側及び下乗りかご７側面のうちの一方にスイッチ部が、他方にカム部が、それぞれ設置されている。そして、外かご内下部終端検出装置１６は、カム部がスイッチ部に当接することによって下乗りかご７が外かご１内の上端位置に達したことを検出して、検出信号を副制御装置１１へと出力する。
【００２２】
昇降路２内における各階床位置には、ドアゾーンを規定するための階床プレート１７がそれぞれ取り付けられている。そして、この階床プレート１７と対向するようにして、上乗りかご６には上かご階床位置検出器１８が、下乗りかご７には下かご階床位置検出器１９が、それぞれ設けられている。
【００２３】
上かご階床位置検出器１８は、上乗りかご６が階床面から所定のドアゾーンの範囲内にある場合に、階床プレート１７に対して対向するように、その取付位置が調整されている。そして、階床プレート１７に対して対向している間（すなわち上乗りかご６がドアゾーン内にある間）、上かご階床位置検出器１８は検出信号を主制御装置１０へと出力する。
【００２４】
また、下かご階床位置検出器１９は、下乗りかご７が階床面から所定のドアゾーンの範囲内にある場合に、階床プレート１７に対して対向するように、その取付位置が調整されている。そして、階床プレート１７に対して対向している間（すなわち下乗りかご７がドアゾーン内にある間）、下かご階床位置検出器１９は検出信号を主制御装置１０へと出力する。
【００２５】
このように構成されたダブルデッキエレベータの診断装置は、主制御装置１０及び副制御装置１１による制御の下、いくつかの動作モードを遷移しながら動作している。図２にこの動作モードの遷移図を示す。
まず、ダブルデッキエレベータの診断装置の動作モードは、通常の運転動作を行う通常モード、副ロープ８の伸び量を診断する診断モード、診断モードにおける診断の終了処理を行う正常終了モード、及び、診断モードにおける診断運転の中断処理を行う中断モード、の４つがある。
【００２６】
通常モードは、副ロープ８の伸び量の診断は行わず、通常の運転動作を行う動作モードである。この通常モードにおいて、いずれの階床に対する呼びも登録されていない状態であり、かつ、主制御装置１０がロープ伸び診断要求を受けた場合には、診断モードへと移行する。なお、ロープ伸び診断要求は、当該ダブルデッキエレベータの診断装置の外部から（例えばメンテナンスツール等を用いて）送信するようにしてもよいし、主制御装置１０において定期的にロープ伸び診断要求が（自身に対して）出力されるようにしてもよい。
【００２７】
診断モードは、副ロープ８の伸び量の診断を行うための診断運転を実施する動作モードである。この診断モードにおける診断運転が完了した場合には、正常終了モードへと移行する。一方、診断運転中に呼びが登録された場合には、中断モードへと移行する。
【００２８】
正常終了モードは、副ロープ８の伸び量の診断の終了処理を行うための動作モードである。この正常終了モードにおいて終了処理が実施されて副ロープ８の伸び量の診断が完了すると、通常モードへと移行する。
【００２９】
中断モードは、診断運転の中断処理を実施して、外かご１並びに上乗りかご６及び下乗りかご７を停止させる動作モードである。そして、診断運転の中断処理が完了して外かご１並びに上乗りかご６及び下乗りかご７の全てが停止した場合には、登録された呼びに応答すべく、通常モードへと移行する。そして、通常モードにおいて前述した診断モードへの遷移条件が再び成立すると、診断モードへと移行して診断運転が再開されることになる。
【００３０】
図３は、診断モードにおける診断運転動作を示すものである。通常モードから診断モードへと移行すると、まず、主制御装置１０は副制御装置１１へとロープ伸び診断指令を出力する（ステップＳ１）。そして、ステップＳ２でこのロープ伸び診断指令を受けた副巻上機９は、ステップＳ３において、副巻上機９を駆動して、上乗りかご６及び下乗りかご７のうち予め定めた一方の乗りかごを外かご１に対して所定の位置へと移動させる。
【００３１】
ここでは、上乗りかご６を外かご１内の上端位置にまで移動させるとする。すなわち、副制御装置１１は、副巻上機９を駆動させて上乗りかご６及び下乗りかご７の間隔を拡大する方向に移動させる。そして、外かご内上部終端検出装置１５からの検出信号が入力されると、副制御装置１１は副巻上機９を停止させて上乗りかご６及び下乗りかご７を停止させる。
【００３２】
上乗りかご６及び下乗りかご７のうち予め定めた一方の乗りかごの外かご１に対する所定の位置への移動（ここでは上乗りかご６の外かご１内における上端位置への移動）が完了すると、ステップＳ４へと進む。このステップＳ４においては、副制御装置１１は主制御装置１０へと診断許可信号を出力する。ステップＳ５でこの診断許可信号を受けた主制御装置１０は、ステップＳ６において、主巻上機５を駆動して、外かご１を昇降路２内の所定の位置へと移動させる。
【００３３】
そして、主制御装置１０は、外かご１が昇降路２内の所定の位置にきた時点における、上乗りかご６及び下乗りかご７のうち他方の乗りかご（すなわち、上乗りかご６及び下乗りかご７のうち、先のステップＳ３で、外かご１に対して所定の位置へと移動させた方ではない乗りかご）の最寄り階床位置からの移動距離に基づいて、副ロープ８の伸び量を算出する。
【００３４】
ここでは、ステップＳ６において、外かご１を移動させる所定の位置は、昇降路内上部終端検出装置１３の検出位置（昇降路２内の上端から所定の距離の位置）であるとする。また、ここで、副ロープ８の伸び量を算出するために最寄り階床位置からの移動距離を検出する対象となるのは、下乗りかご７となる。先のステップＳ３で、上乗りかご６を外かご１に対して所定の位置へと移動させたからである。
【００３５】
このステップＳ６における副ロープ８の伸び量の算出方法を図６を参照して説明する。
主制御装置１０は、主巻上機５を駆動して、外かご１を昇降路２上端へと移動させるために上昇させる。主制御装置１０は、この外かご１の移動中（上昇中）において、速度検出器１２により検出された速度を時間で積分（積算）することによって、下乗りかご７の移動距離を算出している。この下乗りかご７の移動距離は、下乗りかご７が階床位置を通過する度に（下かご階床位置検出器１９から検出信号が出力される度に）０にリセットされる。こうして、主制御装置１０は、速度検出器１２及び下かご階床位置検出器１９の検出結果に基づいて、最寄り階床位置からの下乗りかご７の移動距離を算出している。
【００３６】
そして、外かご１が昇降路２内の上端から所定の距離の位置に達した時点、すなわち、昇降路内上部終端検出装置１３から検出信号が出力された時点における、最寄り階床位置からの下乗りかご７の移動距離を、記憶していた前回診断時における値と比較することによって、最寄り階床位置からの下乗りかご７の移動距離の前回診断時からの変化を、前回診断時からの副ロープ８の伸び量として算出する。
【００３７】
こうして、副ロープ８の伸び量の算出が終了すると、ステップＳ７へと進む。このステップＳ７では、主制御装置１０は外かご１を停止させて診断運転を完了する。診断運転を完了すると前述したように動作モードは正常終了モードへと移行する。
【００３８】
図４は、正常終了モードにおける診断終了処理を示すものである。まず、ステップＳ１１において、主制御装置１０は、診断モードでの診断運転（特に図３のステップＳ６）で算出した副ロープ８の伸び量の値を副制御装置１１へと送信する。そして、ステップＳ１３へと進み、この今回の診断で算出した最寄り階床位置からの下乗りかご７の移動距離を、次回の診断に用いるため、主制御装置１０が備える記憶装置（主制御装置記憶手段）に記憶する。
【００３９】
また、主制御装置１０から送信された副ロープ８の伸び量の値をステップＳ１２で受けた副制御装置１１は、この受け取った副ロープ８の伸び量の値を、副制御装置１１が備える記憶装置（副制御装置記憶手段）に記憶する。そして、ステップＳ１５へと進み、副制御装置１１は主制御装置１０へと終了許可信号を送信する。この終了許可信号をステップＳ１６で受けた主制御装置１０は、ステップＳ１７へと進み、診断終了と判断して副ロープ８伸び診断を完了する。副ロープ８伸び診断を完了すると前述したように動作モードは通常モードへと移行する。
【００４０】
なお、この正常終了モードの図４のステップＳ１４で副制御装置記憶手段に記憶した副ロープ８の伸び量は、これ以降の通常モードでの運転時での階間調整における補正に用いられる。すなわち、隣接する上下階床間の距離に応じて、上乗りかご６及び下乗りかご７の間隔を調整する際に、副制御装置１１は副制御装置記憶手段に記憶されている副ロープ８の伸び量を考慮して、副巻上機９の駆動量を補正する。このため、副ロープ８に伸びが発生した場合であっても、高い着床精度を保つことが可能である。
【００４１】
図５は、中断モードにおける診断運転の中断処理を示すものである。まず、ステップＳ２１において、主制御装置１０は副制御装置１１へと停止指令信号を送信する。そして、ステップＳ２３へと進み、外かご１が走行中であれば主巻上機５の駆動を停止して外かご１を停止させる。
【００４２】
また、主制御装置１０から送信された停止指令信号をステップＳ２２で受けた副制御装置１１は、上乗りかご６及び下乗りかご７が移動中であれば副巻上機９の駆動を停止して上乗りかご６及び下乗りかご７を停止させる。そして、ステップＳ２５へと進み、副制御装置１１は主制御装置１０へと中断許可信号を送信する。
【００４３】
ステップＳ２３を終えた状態で副制御装置１１からの中断許可信号を受信した主制御装置１０は、ステップＳ２６からステップＳ２７へと進み、かごの停止が完了したと判断して診断中断処理を終了する。診断中断処理を完了すると前述したように動作モードは通常モードへと移行する。
【００４４】
なお、既に外かご１が停止していた場合にはステップＳ２３を実行する必要はなく、同様に、既に上乗りかご６及び下乗りかご７が停止していた場合にはステップＳ２４を実行する必要はない。また、中断モードにおいて呼びが登録された際に、全てのかご（外かご１並びに上乗りかご６及び下乗りかご７）が既に停止している状態であれば、中断モードを経ることなく即時通常モードへと移行してもよい。
【００４５】
なお、以上においては、副ロープの伸び診断を実施する度に算出した最寄り階床位置からの下乗りかごの移動距離を、主制御装置が備える記憶装置（主制御装置記憶手段）に記憶して、次回の診断においては、この主制御装置記憶手段に記憶された移動距離の値と、新たに算出した移動距離の値とを比較することにより、副ロープの伸びの量を求めるようにした場合について説明した。この点については、副ロープの伸び診断を実施する度に算出した移動距離を主制御装置記憶手段に記憶して次回の診断に用いなくとも、予め定めた基準値を主制御装置記憶手段に記憶させておき、この基準値をもとにして副ロープの伸びを診断するようにしてもよい。あるいは、副ロープに伸びが発生していないと思われるエレベータ据付直後に、一度だけ基準となる最寄り階床位置からの下乗りかごの移動距離を求めるために診断運転を行い、このとき得られた移動距離を基準値として用いるようにしてもよい。
【００４６】
以上のように構成されたダブルデッキエレベータの診断装置は、主制御装置と副制御装置とからなる制御手段によって、上乗りかご及び下乗りかごの両者のうち予め定めた一方の乗りかごを外かごに対して所定の位置へと移動させた状態で、外かごを昇降路の所定の位置まで走行させ、外かごが昇降路の所定の位置にきた時点における前記両者のうちの他方の乗りかごの所定の階床位置からの移動距離に基づいて、副ロープの伸びを診断するようにしたものである。
【００４７】
このため、階間調整装置のロープ伸び量の診断を自動的に実施することができ、この診断にかかる手数を大幅に低減することが可能である。また、ロープ伸び量の診断を自動的に実施することができるため高頻度のロープ伸び量の診断実施が可能である。
【００４８】
また、上記に加えて、副ロープ伸び診断による副ロープの伸びの量を副制御装置記憶手段に記憶しておき、副制御装置は、駆動装置である副巻上機を駆動させて上乗りかご及び下乗りかごの両者を上下移動させることにより前記両者の間隔を調整する際に、副制御装置記憶手段が記憶する副ロープの伸びの量に基づいて、副巻上機の駆動量を補正するようにしたものである。
【００４９】
このため、ロープ伸びが発生した場合に、自動的に補正して階間調整を行うため、着床精度を高いまま維持することが可能である。そして、ロープ伸びが発生した場合であっても着床精度を損なうことがないため、ロープの長寿命化にも資する。
【符号の説明】
【００５０】
１    外かご
２    昇降路
３    釣合い重り
４    主ロープ
５    主巻上機
６    上乗りかご
７    下乗りかご
８    副ロープ
９    副巻上機
１０    主制御装置
１１    副制御装置
１２    速度検出器
１３    昇降路内上部終端検出装置
１４    昇降路内下部終端検出装置
１５    外かご内上部終端検出装置
１６    外かご内下部終端検出装置
１７    階床プレート
１８    上かご階床位置検出器
１９    下かご階床位置検出器
【図１】
2012162361.tif 000003
【図２】
2012162361.tif 000004
【図３】
2012162361.tif 000005
【図４】
2012162361.tif 000006
【図５】
2012162361.tif 000007
【図６】
2012162361.tif 000008